(57)【要約】【課題】着用者が横臥せ状の体位になっていたとしても、排泄物の漏洩を可及的に防止できるおしめ及びおしめカバーを提供すること。【解決手段】上記課題を解決するために本発明に係るおむつは  液透過性の内生地及び液不透過性の外生地を備えたおむつにおいて、内生地の長手方向に排泄物の漏洩を防止するためのストッパを設けると共に内生地と外生地の間に吸収シートが挿脱可能な袋部を設けた。本発明に係るおむつカバーは液透過性の内生地及び液不透過性の外生地を備えたおむつカバーにおいて、内生地の長手方向に排泄物の漏洩を防止するためのストッパを設けた。【選択図】  図１
2004215842.tif 000002
【特許請求の範囲】
【請求項１】
液透過性の内生地及び液不透過性の外生地を備えたおむつにおいて、内生地の長手方向に排泄物の漏洩を防止するためのストッパを設けたこと、を特徴とするおむつ。
【請求項２】
内生地と外生地の間に吸収シートが挿脱可能な袋部を設けたことを特徴とする請求項１記載のおむつ。
【請求項３】
袋部の開口部をおむつの短辺側一方縁部付近に設けたことを特徴とする請求項２記載のおむつ。
【請求項４】
袋部の開口部をおむつの短辺側両縁部付近に設けたことを特徴とする請求項２記載のおむつ。
【請求項５】
袋部の開口部を両股ぐり付近に設けたことを特徴とする請求項２、請求項３又は請求項４記載のおむつ。
【請求項６】
ストッパを帯状に二列設けたことを特徴とする請求項１、請求項２、請求項３、請求項４又は請求項５いずれかに記載のおむつ。
【請求項７】
ストッパを略Ｕ字形に設けたことを特徴とする請求項１、請求項２、請求項３、請求項４又は請求項５いずれかに記載のおむつ。
【請求項８】
ストッパを略方形状に設けたことを特徴とする請求項１、請求項２、請求項３、請求項４又は請求項５いずれかに記載のおむつ。
【請求項９】
液透過性の内生地及び液不透過性の外生地を備えたおむつカバーにおいて、
内生地の長手方向に排泄物の漏洩を防止するためのストッパを設けたこと、
を特徴とするおむつカバー。
【発明の詳細な説明】
【０００１】
【発明の属する技術分野】
本発明はおむつ及びおむつカバーに関し、より詳しくは着用者が横臥せ等の状態になっていても排泄物の横漏れを可及的に防止できるおむつ及びおむつカバーに関する。
【０００２】
【従来の技術】
本件出願人は特願２００１−４０１８４２において吸収シート（尿取りパッド）を挿脱可能な袋部を有するおしめカバーを提案した。
【０００３】
【特許文献１】
特願２００１−４０１８４２
【０００４】
【発明が解決しようとする課題】
上述の出願は吸収シート（尿取りパッド）の挿脱が容易であり使い勝手がよく、しかも通気性に優れているものであり有用なものである。
【０００５】
ところが着用者が横臥せ状の体位になっていると、股ぐり付近から排泄物が漏洩することがあり得るという難点を有する。
【０００６】
そこで本発明は着用者が横臥せ状の体位になっていたとしても、排泄物の漏洩を可及的に防止できるおしめ及びおしめカバーを提供することを目的とする。
【０００７】
【課題を解決するための手段】
上記課題を解決するために請求項１記載のおむつは  液透過性の内生地及び液不透過性の外生地を備えたおむつにおいて、内生地の長手方向に排泄物の漏洩を防止するためのストッパを設けた。
【０００８】
又、請求項２記載のおむつは内生地と外生地の間に吸収シートが挿脱可能な袋部を設けた。
【０００９】
請求項３記載のおむつは袋部の開口部をおむつの短辺側一方縁部付近に設け、請求項４記載のおむつは袋部の開口部をおむつの短辺側両縁部付近に設け、請求項５記載のおむつは袋部の開口部を股ぐり付近にも設けた。
【００１０】
又、請求項６記載のおむつにおいてはストッパを帯状に二列設け、請求項７記載のおむつではストッパを略Ｕ字形に設け、請求項８記載のおむつではストッパを略方形状に設けた。
【００１１】
更には請求項９においては、液透過性の内生地及び液不透過性の外生地を備え、内生地の長手方向に排泄物の漏洩を防止するためのストッパを設けたおむつカバーを提案した。
【００１２】
以下、上述のように構成される本発明が如何に作用して課題を解決するかを述べる。
【００１３】
本発明に係るおむつは内生地と外生地の間に袋部を有し、且つ、袋部内に吸収シートを挿脱することが可能なものである。この吸収シートにより着用者の排泄物を捕収するのである。
【００１４】
係る捕収手段のみによっては着用者が横臥せ状態では股ぐり付近から排泄物が漏洩してしまうおそれがある。そこで本発明は内生地の着用者に接する側の面の長手方向に沿ってストッパを設けた。このストッパにより排泄物が一旦堰き止められ、ストッパに沿い拡散される。そして液透過性の内生地を透過して吸収シートにより捕収されていくのである。
【００１５】
かように本発明に係るおむつではストッパにより排泄物が一旦堰き止められるがゆえに股ぐり付近からの横漏れを可及的に防止することが可能となるのである。
【００１６】
又、本発明はその請求項９においておむつカバーを提案している。ここにおむつカバーとは着用したおむつの上から更に着用し、あるいはその内部におむつを挿入して、排泄物の漏れを防止するカバーのことをいう。
【００１７】
請求項９記載のおむつカバーにおいても請求項１、請求項６、請求項７又は請求項８記載のおむつと同様にストッパにより排泄物が一旦堰き止められ、ストッパに沿い拡散される。
【００１８】
かように本発明に係るおむつカバーではストッパにより排泄物が一旦堰き止められるがゆえに股ぐり付近からの横漏れを可及的に防止することが可能となるのである。
【００１９】
【発明の実施の形態】
以下、好ましい発明の一実施形態につき図面を参照しながら述べる。
【００２０】
図１は請求項３記載のおむつの斜視図であり、図２は請求項４記載のおむつの斜視図であり、図３は請求項５記載のおむつの斜視図であり、図４は請求項６記載のおむつの斜視図であり、図５は請求項７記載のおむつの斜視図であり、図６は請求項８記載のおむつの斜視図である。
【００２１】
請求項２記載に係るおむつは液透過性の内生地及び液不透過性の外生地が縫合されて形成されたものであり、内生地と外生地の間には開口部を有する袋部形成されている。
【００２２】
ここに外生地は液不透過性の合成繊維で形成されており、内生地は液透過性の合成繊維のニット生地で形成されている。
【００２３】
又、内生地の着用者と接する側の面には長手方向にストッパが設けられている。ストッパは内生地と同じ生地を使用して形成されている。着用者の違和感を無くすためやドライ感をだすためである。但し、同一生地に限定されるものではなく、ストッパには防水生地を使用してもよいし、ゴム等の弾性糸を入れてもよい。尚、請求項１記載のおむつは請求項２記載のおむつの袋部を形成しないものである。
【００２４】
請求項３乃至請求８記載のおむつは開口部、ストッパの具体化に応じたものである。
【００２５】
請求項３記載のおむつは図１に示すように、開口部４ａがおむつ６の短辺側一方縁部付近に設けられている。この開口部４ａから内生地と外生地の間に設けられた空洞たる袋部内に、吸収シート３を挿入するのである。
【００２６】
ここに吸収シートとは広義の概念であり、尿を吸収する素材即ち綿シート、ポリマーシート等を含むものである。
【００２７】
又、内生地１の着用者と接する側の面には長手方向にストッパ５が設けられている。
【００２８】
請求項４記載のおむつは図２に示すように開口部４ａ、４ｂがおむつ６の短辺側両縁部付近に設けられている。開口部４ａ、４ｂいずれからも吸収シートの挿脱が可能なものである。
【００２９】
請求項５記載のおむつは図３に示すように開口部４ｃが両股ぐり付近に設けられている。この開口部４ｃからも吸収シートの挿脱が可能なものである。
【００３０】
請求項６記載のおむつは図４に示すようにストッパ５ａが内生地１の長手方向に帯状に二列設けられている。
【００３１】
このストッパ５ａはいずれもおむつ６の中心部に沿った側の縁部Ａが内生地１と縫合されておらず、立ち上がりが可能なものである。
【００３２】
本発明に係るおむつ及びおむつカバーは、いずれも着用者の脚回りに位置するレッグ部７にレッグ部弾性部材７ａが配されてレッグギャザーが形成されている。
【００３３】
請求項７記載のおむつは図５に示すようにストッパ５ｂがおむつの６の内生地１の長手方向に略Ｕ字形に設けられている。
【００３４】
このストッパ５ｂはいずれもおむつ６の中心部に沿った側の縁部Ａが内生地１と縫合されておらず、立ち上がりが可能なものである。
【００３５】
請求項８記載のおむつは図６に示すようにストッパ５ｃがおむつの６の内生地１の長手方向に略方形状に設けられている。
【００３６】
このストッパ５ｃはいずれもおむつ６の中心部に沿った側の縁部Ａが内生地１と縫合されておらず、立ち上がりが可能なものである。
【００３７】
請求項９記載のおむつカバーは図示されていないが、その構成体たる内生地、外生地、吸収シート及びストッパいずれもが請求項１、請求項６、請求項７又は請求項８記載のおむつと同様の素材を用い、同様の形態に構成されるものである。
【００３８】
この請求項９記載のおむつカバーにおいても本発明に係るおむつと同様に、内生地と外生地の間に袋部を形成し吸収シートを挿脱可能にしてもよい。
【００３９】
【発明の効果】
本発明は以上のように構成されているが故に、着用者が横臥せ状の体位になっていたとしても、排泄物の漏洩を可及的に防止できるおしめ及びおしめカバーを提供することが可能となるのである。
【図面の簡単な説明】
【図１】請求項３記載のおむつの斜視図。
【図２】請求項４記載のおむつの斜視図。
【図３】請求項５記載のおむつの斜視図。
【図４】請求項６記載のおむつの斜視図。
【図５】請求項７記載のおむつの斜視図
【図６】請求項８記載のおむつの斜視図。
【符号の説明】
１・・内生地      ２・・外生地
３・・吸収シート      ４ａ，４ｂ，４ｃ・・開口部
５，５ａ，５ｂ，５ｃ・・ストッパ      ６・・おむつ
【図１】
2004215842.tif 000003
【図２】
2004215842.tif 000004
【図３】
2004215842.tif 000005
【図４】
2004215842.tif 000006
【図５】
2004215842.tif 000007
【図６】
2004215842.tif 000008